(57)【要約】      （修正有）【課題】ゴルフ競技者によるパターの打ち出しラインに沿った安定したゴルフボールの転動が得られるゴルフパターを提供する。【解決手段】ゴルフパター１０のフェイス面２０は負のロフト角βを備えていることから、フェイス面２０のゴルフボールに対する打点すなわちフェイス面２０とゴルフボールとの接触点の高さは、ゴルフボールの中心点の高さよりも高くなるので、打ち出し後のゴルフボールの順回転の割合は大幅に改善され、ゴルフパター１０の打ち出しラインに沿った方向へ安定したゴルフボールの転動の割合が高められ、ゴルフボールの方向安定性が得られる。【選択図】図３
0003149418.tif 000002
【実用新案登録請求の範囲】
【請求項１】
ゴルフボールに当てるための長手状のフェイス面を有するパターヘッドをシャフトの先端に備えたゴルフパターであって、
前記フェイス面には、垂直面に対して負の角度が形成されていることを特徴とするゴルフパター。
【請求項２】
前記フェイス面は、該フェイス面の高さ方向において上端縁に向かうほど前方へ向かう平坦面であることを特徴とする請求項１のゴルフパター。
【請求項３】
前記フェイス面は、垂直面に対して−１乃至−１５°の角度で前傾する平坦面であることを特徴とする請求項２のゴルフパター。
【請求項４】
前記フェイス面は、該フェイス面の高さ方向において上端縁に向かうほど前方へ向かう部分円筒状の凹曲面であることを特徴とする請求項１のゴルフパター。
【請求項５】
前記凹曲面の曲率半径は、３０乃至１００ｍｍであることを特徴とする請求項４のゴルフパター。
【考案の詳細な説明】
【技術分野】
【０００１】
本考案は、ゴルフパターに関し、特に、ゴルフパターのシャフトの先端に固定されるパターヘッドのフェイス面の改良に関する。
【背景技術】
【０００２】
一般に、ゴルフパターのシャフトの先端に固定されるパターヘッドのフェイス面との接触点においてゴルフボールに対してストローク方向に作用する力がそのゴルフボールの中心に向かうことによりその作用方向にゴルフボールが確実に転がるように、ゴルフボールに対する作用面となるフェイス面が平坦にされている。これらを前提として、ゴルフコースのグリーン上においてゴルフパターを用いてパッティングするに際しては、芝目や傾斜等に応じた所望のライン（ゴルフボールの転動軌道）に沿ってゴルフボールが転がるように、パターヘッドのストローク方向をそのラインに対して真っ直ぐにすると共に、パターヘッドのフェイス面をそのラインに対して垂直にしてヘッドを振り抜くように操作される。
【０００３】
また、一般に、上記パターヘッドのフェイス面は、垂直面に対して＋２乃至＋５°程度傾斜したロフト角が設けられて上向きとされており、特に比較的強いボールの打ち出しに際しては、ゴルフボールがジャンプしつつ反回転し、地面に着地した後には地面とのすべり摩擦が発生し、その後に順回転するようになっている。
【先行技術文献】
【特許文献】
【０００４】
【特許文献１】特開平０７−０３１６９７号公報
【特許文献２】特開平０７−０３１６９８号公報
【特許文献３】特開２００１−０６２０１３号公報
【考案の概要】
【考案が解決しようとする課題】
【０００５】
ところで、ラインに沿ってパターを真っ直ぐに振り抜くことで打ち出されるボールは、必ずしもそのラインに沿って正確に転がらず、パッティングの方向安定性が不十分である場合があった。この問題の一因は、フェイス面内の最適打面領域である所謂スイートスポットが小さかったり、打撃の瞬間にパターヘッドに回転モーメントが発生してパターヘッドがぐらつくことにより、打球が安定しないことが考えられている。
【０００６】
これに対し、特開平０７−０３１６９８号公報では、フェイス面からその後方に位置するパターヘッドの重心までの距離を可及的に拡大することによって上記スイートスポットを拡大しようとする技術が開示されている。また、特開２００１−０６２０１３号公報では、長手状のフェイス面の両端部すなわちパターヘッドのトウ部およびヒール部に一対のウエイトをそれぞれ設けることにより回転慣性モーメントを大きくし、打球の方向安定性を高める技術が開示されている。特開平０７−０３１６９７号公報では、ヘッド全体の重心を後ろ側に位置させ且つ重量を可及的にフェイス面の周辺部に集中するように配置することによりスイートスポットを拡大する技術が開示されている。
【０００７】
しかしながら、上記の技術によっても、実際には、打球の方向や長さ等が安定しないという問題が十分に解決されている訳ではなかった。本考案者の分析によれば、上記従来のパターヘッドは、その荷重をフェイス面の中央から周辺へ分散させたり、水平面ではパターヘッドの重心がゴルフボールの重心と一致するように見えるものであっても上下方向では一致させていないものであり、競技者のパターの操作感覚と実際の打球の方向性との対応関係が必ずしも一致するものではなかった。
【０００８】
本考案の目的とするところは、ゴルフ競技者によるパターの打ち出しラインに沿った安定したゴルフボールの転動が得られるゴルフパターを提供することにある。
【課題を解決するための手段】
【０００９】
本考案者は、上記の事情を背景として種々検討を重ねた結果、静止し且つ非回転状態のゴルフボールが打ち出された直後では、順回転で転がるまでは地面との間で滑りが発生しており、この滑り区間においてゴルフボールの方向性が不安定となるという仮説を立てた。先ず、ロフト角βを有するフェイス面を有する従来のゴルフパターによる打球を解析した。すなわち、図９に示すように、２乃至５°のロフト角βを有するフェイス面４０を、グリーン面ＧＳから２ｍｍ程度の間隔ｈだけ浮かせた状態で４２．９ｍｍφのゴルフボール２２を打った場合に、その打点( 接触点) Ｐの高さＨipと、ゴルフボールに描かれた赤道線( 最外周線)を打ち出し線に一致させたときの赤道線の揺らぎが発生しない順回転の割合％とを測定した。その打点( 接触点) Ｐの高さは、ゴルフボールの中心点の高さＨbよりも低く、パターヘッド１６の下面から１０〜１３ｍｍの位置であった。また、順回転の割合は５０％程度であった。これに対して、図２に示すように、フェイス面２０のロフト角βが−１乃至−１５°である点、或いはフェイス面の部分円筒面状の凹曲面の曲率半径Ｒが３０ｍｍ以上である以外は同じ条件下で同様の試験を行ったときの打点( 接触点) Ｐの高さＨipと、ゴルフボール２２に描かれた赤道線( 最外周線)を打ち出し線に一致させたときの赤道線の揺らぎが発生しない順回転の割合％とを測定した。そのときの打点( 接触点) Ｐの高さＨipは、ゴルフボールの中心点の高さＨbよりも高く、パターヘッド１６の下面から１９〜２５ｍｍ程度であり、順回転の割合は大幅に改善された。本考案はかかる事実に基づいて為されたものである。
【００１０】
すなわち、請求項１に係る考案の要旨とするところは、(a) ゴルフボールに当てるための長手状のフェイス面を有するパターヘッドをシャフトの先端に備えたゴルフパターであって、(b) 前記フェイス面のうち少なくとも前記ゴルフボールに当てるためのヒッティングエリア（スイートスポット）には、垂直面に対して負の角度が形成されていることを特徴とする。
【考案の効果】
【００１１】
このように構成された請求項１に係る考案によれば、フェイス面のゴルフボールに対する打点( 接触点) の高さは、ゴルフボールの中心点の高さよりも高くなるので、打ち出し後のゴルフボールの順回転の割合は大幅に改善され、パターの打ち出しラインに沿った方向へ安定したゴルフボールの転動が得られる。これにより、ゴルフボールがホールに入る確率が高められる。
【００１２】
ここで、好適には、前記フェイス面は、そのフェイス面の高さ方向において上端縁に向かうほど前方へ向かう平坦面であることから、フェイス面のゴルフボールに対する打点( 接触点) の高さは、ゴルフボールの中心点の高さよりも高くなるので、打ち出し後のゴルフボールの順回転の割合は大幅に改善され、パターの打ち出しラインに沿った方向へ安定したゴルフボールの転動が得られる。
【００１３】
また、好適には、前記フェイス面は、垂直面に対して−１乃至−１５°の角度で前傾する平坦面であることから、フェイス面のゴルフボールに対する打点( 接触点) の高さは、ゴルフボールの中心点の高さよりも高くなるので、一層、打ち出し後のゴルフボールの順回転の割合は大幅に改善され、パターの打ち出しラインに沿った方向へ安定したゴルフボールの転動が得られる。
【００１４】
また、好適には、前記フェイス面は、そのフェイス面の高さ方向において上端縁に向かうほど前方へ向かう部分円筒状の凹曲面であることから、フェイス面のゴルフボールに対する打点( 接触点) の高さは、ゴルフボールの中心点の高さよりも高くなるので、打ち出し後のゴルフボールの順回転の割合は大幅に改善され、パターの打ち出しラインに沿った方向へ安定したゴルフボールの転動が得られる。
【００１５】
また、好適には、前記凹曲面の曲率半径は、３０乃至１００ｍｍであることから、フェイス面のゴルフボールに対する打点( 接触点) の高さは、ゴルフボールの中心点の高さよりも高くなるので、一層、打ち出し後のゴルフボールの順回転の割合は大幅に改善され、パターの打ち出しラインに沿った方向へ安定したゴルフボールの転動が得られる。
【図面の簡単な説明】
【００１６】
【図１】本考案の一実施例のゴルフパターを示す正面図である。
【図２】図１の実施例のゴルフパターを用いた打球操作時のパターヘッドとゴルフボールとの関係を示す図である。
【図３】図１の実施例のゴルフパターに備えられたパターヘッドを詳しく説明する図である。
【図４】図１の実施例のゴルフパターの効果を示すために本発明者がパッティング試験に用いたパッティングロボット装置の構成を説明する図である。
【図５】本発明の他の実施例のゴルフパターに備えられたパターヘッドを詳しく説明する図であって、図３に相当する図である。
【図６】本発明の他の実施例のゴルフパターを示す図であって、図１に相当する図である。
【図７】図１乃至図３の実施例のゴルフパターの打撃によりゴルフボールに発生する反時計方向回転成分と、図８および図９に示す従来のゴルフパターの打撃によりゴルフボールに発生する時計方向回転成分とを説明する図である。
【図８】従来のゴルフパターのパターヘッドを示す図であって、図３に相当する図である。
【図９】図８の従来のゴルフパターを用いた打球操作時のパターヘッドとゴルフボールとの関係を示す図であって、図２に相当する図である。
【図１０】従来の他のゴルフパターのパターヘッドを示す図であって、図３に相当する図である。
【考案を実施するための形態】
【実施例１】
【００１７】
以下、本考案の一実施例を図面を参照して説明する。図１において、ゴルフパター１０は、グリップ１２が上端部に固定されたシャフト１４と、そのシャフト１４の先端部に固定されたパターヘッド１６とを備えている。パターヘッド１６の底面１８を水平面ＨＳとしたとき、シャフト１４は所定のライ角を備えているが、図１は、シャフト１４の軸心Ｃを含む垂直面ＶＳが紙面に垂直となるようにパターヘッド１６を示しているので、図１にはライ角は現れていない。
【００１８】
上記パターヘッド１６は、銅合金のような比較的質量の大きい金属から２１ｍｍ程度の厚みの扁平形状に成形されたものであり、水平方向に長手状を成すフェイス面２０をその一端に備えている。これにより、プレーヤは、図２に示すように、上記パターヘッド１６のストローク方向をゴルフボール２２を打ち出すべきラインに対して一致させると共に、パターヘッド１６のフェイス面２０をそのラインに対して垂直にしてパターヘッド１６を振り抜き、フェイス面２０に当ててゴルフボール２２を打ち出す。
【００１９】
図３に拡大して示すように、上記フェイス面２０は、そのフェイス面２０の高さ方向において上端縁に向かうほど前方へ向かう平坦面である。すなわち、上記フェイス面２０のロフト角β、特にそのフェイス面２０のうち少なくともゴルフボールに当てるための中央部に設定されたヒッティングエリア（スイートスポット）Ａのロフト角βは、従来は垂直面ＶＳに対してたとえば２乃至５°程度の正の角度であったのに対して、本実施例では負の角度たとえば−１乃至−１５°程度に設定されている。
【００２０】
以上のように構成された本実施例のゴルフパター１０によれば、フェイス面２０は負のロフト角βを備えていることから、図２に示すように、フェイス面２０のゴルフボール２２に対する打点すなわちフェイス面２０とゴルフボール２２との接触点Ｐの高さＨipは、ゴルフボールの中心点の高さＨｂよりも高くなるので、打ち出し後のゴルフボール２２の順回転の割合は大幅に改善され、ゴルフパター１０の打ち出しラインに沿った方向へ安定したゴルフボール２２の転動の割合が高められ、ゴルフボール２２の方向安定性が得られる。打ち出し後のゴルフボール２２が順回転すると、地面との間の滑りが解消されるとともに回転により発生する遠心力により姿勢が安定するので、その順回転の割合が高められるほど、方向安定性が得られる。
【００２１】
図４は、パター用人工芝２６の上でゴルフパター１０を用いて同じ条件でゴルフボール２２を打つためのパッティングロボット装置Ｒを示している。フレーム２８で支持されている天板３０は、水平面に対してゴルフパター１０のライ角だけ傾斜させられており、その天板３０には、回転軸３２が天板３０と平行となるようにすなわち水平面に対してゴルフパター１０のライ角だけ傾斜するように、一対のベアリング３４を介して回転可能に支持されている。回転軸３２の上側に位置する一端部には、ゴルフパター１０のグリップ１２を着脱可能に装着するための装着ブラケット３６が固定されるとともに、回転軸３２の下側に位置する他端部には、振子３８が固定されている。この振子３８は、駆動レバーとしても機能するものであり、予め設定された角度位置まで回動操作された後で解放されることで、パター用人工芝２６上のゴルフボール２２に対して同じ打撃力を付与する。
【００２２】
本考案者は、上記のパッティングロボット装置Ｒを用いて、＋４°、−１°、−３°、−７°、−１２°のロフト角βを有するフェイス面２０を備えた５種類のゴルフパター１０で、パター用人工芝２６の上のゴルフボール２２を４．６ｍ離隔して位置するホールに向かって同じ条件で数十回打ったときの、そのホールにゴルフボール２２が入った割合を実験的に求めた。これによれば、ロフト角βが＋４°である場合にホールに入った割合は４２％、ロフト角βが−１°である場合にホールに入った割合は５０％、ロフト角βが−３°である場合にホールに入った割合は６７％、ロフト角βが−７°である場合にホールに入った割合は９９％、ロフト角βが−１２°である場合にホールに入った割合は９９％であった。この結果によれば、ロフト角βを負とするほどホールに入る割合が高くなり、ロフト角βが−７°に至るとその割合が飽和する。しかし、前述のように、ロフト角βが−１５°よりも更に負の角度が大きくなると、ゴルフボール２２に対して作用する打力のうちの順回転方向成分が大きくなって球心方向成分が少なくなるので、打球感覚と距離との関係が変化してしまう不都合が発生する。
【００２３】
したがって、上記本実施例のゴルフパター１０において、フェイス面２０のロフト角βが−１°よりも大きくなる( 零側となる)と、負の角度に起因する本実施例の効果が得られ難くなり、反対に、フェイス面２０のロフト角βが−１５°よりも小さくなる( 負の角度が大きくなる)と、ゴルフボール２２に対して作用する打力のうちの順回転方向成分が大きくなって球心方向成分が少なくなるので、打球感覚と距離との関係が変化してしまうので、ロフト角βが−１乃至−１５°の範囲が望ましい。
【００２４】
ここで、パターヘッド１６からの打撃力Ｆがゴルフボール２２に対して加えられたときの、負のロフト角βを有するフェイス面２０と、正のロフト角βを有するフェイス面５０とを用いて、そのロフト角βの影響を図７を用いて考察する。先ず、フェイス面５０のロフト角βが正の値( θ1)である場合の接触点をＰ1 とすると、この接触点Ｐ1 における打撃力Ｆ1 は、球心方向成分Ｆ1c( ＝Ｆ1 cos θ1 ) と接線方向の時計方向成分Ｆ1r( ＝Ｆ1 sin θ1 ) との合成で説明される。ゴルフボール２２はこの反時計方向成分Ｆ1rによって時計方向へ回転するモーメントを受ける。したがって、ゴルフボール２２はパターヘッド１６から打撃力Ｆ1 を受けると、ゴルフボール２２の回転抵抗Ｆr(＝μ・Ｗ) の作用によって順回転となるまでは、地面との間で滑り状態となることが避けられない。反対に、フェイス面２０のロフト角βが負の値( θ2)である場合の接触点をＰ2 とすると、この接触点Ｐ2 における打撃力Ｆ2 は、球心方向成分Ｆ2c( ＝Ｆ2 cos θ2 ) と接線方向の反時計方向成分Ｆ2r( ＝Ｆ2 sin θ2 ) との合成で説明される。ゴルフボール２２はこの時計方向成分Ｆ2rによって当初から反時計方向へ回転するモーメントを受ける。したがって、ゴルフボール２２はパターヘッド１６から打撃力Ｆ2 を受けると、ゴルフボール２２の回転抵抗Ｆr(＝μ・Ｗ) と上記時計方向成分Ｆ2rとの共同作用を受けてゴルフボール２２は当初から順回転となる。
【００２５】
因みに、図８は、フェイス面５０のロフト角βが２乃至５°の正の角度である他は上記ゴルフパター１０と同様に構成された従来のゴルフパター５２の要部を示し、図９はそのゴルフパター５２のフェイス面５０をゴルフボール２２が位置するグリーン面ＧＳから２ｍｍ程度の所定寸法ｈだけ浮かせた状態で４２．９ｍｍφのそのゴルフボール２２を打った場合を示している。この場合には、その打点( 接触点) Ｐは、パターヘッド１６の底面１８から１１〜１３ｍｍとなって、ゴルフボール２２の中心点の高さＨｂよりも低いため、ゴルフボール２２の最外周に描いた１本の赤道線を打ち出しラインに一致させて載置してゴルフボール２２を打ったときのその外周線を振れから観察される順回転の割合は５０％程度であった。外周線が揺れている場合はゴルフボール２２が滑っている状態であり、その外周線の揺れがなくなると順回転している状態であると判断する。
【００２６】
図１０は、フェイス面５４に部分円筒状の凸面が形成されている他は上記ゴルフパター１０と同様に構成された従来のゴルフパター５６の要部を示している。このゴルフパター５６においても、図４に示すパッティングロボット装置Ｒにおいて、上記図８のゴルフパター５２と同様に、打点Ｐがゴルフボール２２の中心点の高さＨｂよりも低くなり、順回転の割合は５０％程度であった。
【００２７】
これに対して、本実施例のゴルフパター１０によれば、図２に示すように、フェイス面２０のロフト角βが−１乃至−１５°である点以外は同じ条件下で同様の試験を行ったときの打点Ｐは、パターヘッド１６の底面１８から１９〜２５ｍｍとなって、ゴルフボール２２の中心点の高さＨｂと同等以上となり、ゴルフボール２２に描かれた赤道線( 最外周線)を打ち出し線に一致させたときの赤道線の揺らぎから観察される順方向の割合は９５％となり、大幅に改善された。
【実施例２】
【００２８】
次に、本考案の他の実施例を説明する。なお、以下の説明において前述の実施例と共通する部分には同一の符号を付して説明を省略する。
【００２９】
図５に示すゴルフパター４０は、図１及び図２に示すゴルフパター１０に比較して、フェイス面２０が負のロフト角βに替えて、部分円筒状の凹面すなわち凹状のフェイス面４２を備えている点で相違しているが、他の点では同様に構成されている。この凹状のフェイス面４２は、そのフェイス面４２の高さ方向寸法の半分よりも下側に位置する水平な曲率中心軸を中心とした曲率半径Ｒが３０乃至１００ｍｍの部分円筒面である。このため、凹状のフェイス面４２の下側縁( 下側の角) よりも上側縁(上側の角) が前方へ突き出しており、その突き出し量Ｔは、１乃至３ｍｍ程度となっている。
【００３０】
本実施例のゴルフパター４０は、部分円筒状の凹面すなわち凹状のフェイス面４２を備えていることから、図２に示すゴルフパター１０と同様の条件下で打球の試験を行ったときの打点Ｐにおける凹状のフェイス面４２は負のロフト角βとなり、その打点Ｐは、ゴルフボール２２の中心点の高さＨｂと同等以上となり、ゴルフボール２２に描かれた赤道線( 最外周線)を打ち出し線に一致させたときの赤道線の揺らぎから観察される順方向の割合は、ゴルフパター１０の場合と同様に大幅に改善された。
【００３１】
上記本実施例のゴルフパター４０において、凹状のフェイス面４２の曲率半径Ｒが１００ｍｍよりも大きくなる( 打点における負の角度が小さくなる)と、負の角度に起因する本実施例の効果が得られ難くなる。反対に、３０ｍｍよりも小さくなる( 打点における負の角度が大きくなる）と、ゴルフボール２２に対して作用する打力のうちの順回転方向が大きくなって球心方向成分が少なくなるので、打球感覚と距離との関係が変化してしまう不都合がある。
【実施例３】
【００３２】
図６に示すゴルフパター４６は、ゴルフパター１０に対して、長手状のグリップ４８を備える点、シャフト１４のパターヘッド１６への結合部が前方へ曲げられている点で相違するが、他の部分は同様に構成されている。このため、そのゴルフパター１０と同様の効果が得られる。
【００３３】
以上、本考案の一実施例を図面に基づいて説明したが、本考案はその他の態様においても適用される。
【００３４】
たとえば、前述の実施例において、フェイス面２０全体が負のロフト角βを備え平坦面により構成されていたが、そのフェイス面２０のうち少なくともゴルフボールに当てるために中央部に設定されるヒッティングエリア（スイートスポット）が、負のロフト角βを備えておれば、一応の効果が得られる。
【００３５】
また、前記パターヘッド１６の形状は、細部においては種々の変形が加えられ得るし、その材質も種々のものが採用され得る。
【００３６】
また、前記パターヘッド１６のフェイス面２０の形状は、水平方向に長い矩形であってもよいが、水平方向の長軸を有する楕円であってもよい。
【００３７】
また、前記パターヘッド１６のフェイス面２０には、シリコンゴムに代表されるシリコン樹脂、フッソ樹脂などの樹脂層が形成されてもよい。
【００３８】
その他、一々例示はしないが、本考案は、その主旨を逸脱しない範囲において種々変更を加え得るものである。
【符号の説明】
【００３９】
１０、４０、４６：ゴルフパター
１２、４８：グリップ
１４：シャフト
１６：パターヘッド
１８：底面
２０、４２：フェイス面
２２：ゴルフボール
【図１】
0003149418.tif 000003
【図２】
0003149418.tif 000004
【図３】
0003149418.tif 000005
【図４】
0003149418.tif 000006
【図５】
0003149418.tif 000007
【図６】
0003149418.tif 000008
【図７】
0003149418.tif 000009
【図８】
0003149418.tif 000010
【図９】
0003149418.tif 000011
【図１０】
0003149418.tif 000012